(57)【要約】【課題】必要な時には容易に取り外せる一方で、ヘアに張力が加わった時の機器とアタッチメントとの間の堅固な接続を提供することを目的とする。【解決手段】本発明は、本体部とアタッチメントとを備えた手持ち式機器であって、前記本体部は、スロットとアクチュエータとを有するアタッチメント機構を有しており、前記アタッチメントは、前記スロットと係合するように構成された突出部を有しており、前記アクチュエータは、第１位置と第２位置とを有しており、前記アクチュエータは、前記突出部が前記スロットと係合する時に、前記第１位置から前記第２位置へと向かって移動されることを特徴とする手持ち式機器である。【選択図】図１ｂ
2018033968.tif 000002
【特許請求の範囲】
【請求項１】
本体部とアタッチメントとを備えた手持ち式機器であって、
前記本体部は、スロットとアクチュエータとを有するアタッチメント機構を有しており、
前記アタッチメントは、前記スロットと係合するように構成された突出部を有しており、
前記アクチュエータは、第１位置と第２位置とを有しており、
前記アクチュエータは、前記突出部が前記スロットと係合する時に、前記第１位置から前記第２位置へと向かって移動される
ことを特徴とする手持ち式機器。
【請求項２】
前記第１位置において、前記アクチュエータは、少なくとも部分的に前記スロットを塞ぐ
ことを特徴とする請求項１に記載の手持ち式機器。
【請求項３】
前記アクチュエータは、前記突出部が前記スロットと係合している時に前記突出部と相互作用する表面部を有している
ことを特徴とする請求項１または２に記載の手持ち式機器。
【請求項４】
前記表面部は、前記第２位置において、または、前記第２位置の近傍において、前記スロットを少なくとも部分的に規定するようになっている
ことを特徴とする請求項１乃至３のいずれかに記載の手持ち式機器。
【請求項５】
前記突出部が、前記スロット内の所定位置に来る時、前記アクチュエータは、前記第１位置に向かって戻る
ことを特徴とする請求項１乃至４のいずれかに記載の手持ち式機器。
【請求項６】
前記アクチュエータは、前記第１位置内へと付勢されている
ことを特徴とする請求項１乃至５のいずれかに記載の手持ち式機器。
【請求項７】
前記アクチュエータは、前記本体部上に前記アタッチメントを保持している
ことを特徴とする請求項５または６に記載の手持ち式機器。
【請求項８】
前記本体部は、長手方向軸に沿って延びており、
前記スロットは、前記本体部の径方向にも軸方向にも延びている
ことを特徴とする請求項１乃至７のいずれかに記載の手持ち式機器。
【請求項９】
前記突出部は、前記アクチュエータと係合するための第１面を有している
ことを特徴とする請求項３乃至８のいずれかに記載の手持ち式機器。
【請求項１０】
前記第１面は、前記アクチュエータの前記表面部と係合する
ことを特徴とする請求項９に記載の手持ち式機器。
【請求項１１】
前記本体部は、外面部と内面部とを有する壁部を有しており、
前記スロットは、前記内面部に形成された閉鎖チャネルであり、当該閉鎖チャネルの端部に形成された凹部によって規定された閉鎖端を有している
ことを特徴とする請求項１乃至１０のいずれかに記載の手持ち式機器。
【請求項１２】
前記凹部は、前記スロットの壁によって規定されている
ことを特徴とする請求項１１に記載の手持ち式機器。
【請求項１３】
前記突出部は、前記スロットの前記壁部と係合するための第２面を有している
ことを特徴とする請求項３乃至８のいずれかに記載の手持ち式機器。
【請求項１４】
前記第２面は、湾曲している
ことを特徴とする請求項１３に記載の手持ち式機器。
【請求項１５】
前記アクチュエータは、前記突出部が前記凹部と係合する時に前記突出部と相互作用する第２面を有している
ことを特徴とする請求項１１乃至１４のいずれかに記載の手持ち式機器。
【請求項１６】
前記本体部は、第１端と第２端とを有しており、
前記アタッチメント機構は、前記第２端に隣接している
ことを特徴とする請求項１乃至１５のいずれかに記載の手持ち式機器。
【請求項１７】
前記本体部は、外面部と内面部とを有する壁部を有しており、
前記第２端において、前記壁部は、前記内面部の周りに延在する面取り部を有している
ことを特徴とする請求項１６に記載の手持ち式機器。
【請求項１８】
前記面取り部は、前記内面部から前記外面部に向かって延びている
ことを特徴とする請求項１７に記載の手持ち式機器。
【請求項１９】
前記アタッチメントは、当該アタッチメントの周りに延在するカラーを有しており、
前記突出部は、前記カラーから延びている
ことを特徴とする請求項１乃至１８のいずれかに記載の手持ち式機器。
【請求項２０】
前記アタッチメントは、第１端と第２端とを有しており、
前記カラーは、前記第１端に隣接しており、
前記カラーは、更なる面取り部を有している
ことを特徴とする請求項１９に記載の手持ち式機器。
【請求項２１】
前記更なる面取り部は、前記アタッチメントの前記第１端からの前記カラーの先端部にある
ことを特徴とする請求項２０に記載の手持ち式機器。
【請求項２２】
前記更なる面取り部は、前記カラーから、径方向外側に、且つ、前記アタッチメントの前記第２端に向かって、延在している
ことを特徴とする請求項２１に記載の手持ち式機器。
【請求項２３】
前記本体部の前記面取り部と前記アタッチメントの前記更なる面取り部とは、前記アタッチメントが前記本体部に取り付けられる時、互いに係合する
ことを特徴とする請求項１７または１８に従属する請求項１９乃至２２のいずれかに記載の手持ち式機器。
【請求項２４】
前記アクチュエータに作用するユーザ操作ボタン
を更に備えたことを特徴とする請求項１乃至２３のいずれかに記載の手持ち式機器。
【請求項２５】
前記ボタンの起動によって、前記アクチュエータが前記第１位置から前記第２位置に移動し、前記本体部からのアタッチメントの取り外しを容易にする
ことを特徴とする請求項２４に記載の手持ち式機器。
【請求項２６】
本体部とアタッチメントとを備えた手持ち式機器であって、
前記本体部は、アタッチメント機構を有しており、
前記本体部は、第１端と第２端とを有しており、
前記アタッチメント機構は、前記第２端に隣接しており、
前記本体部は、外面部と内面部とを有する壁部を有しており、
前記第２端において、前記壁部は、前記内面部の周りに延在する面取り部を有している
ことを特徴とする手持ち式機器。
【請求項２７】
前記面取り部は、前記内面部から前記外面部に向かって前記第２端に向かって延びている
ことを特徴とする請求項２６に記載の手持ち式機器。
【請求項２８】
前記アタッチメントは、第１端と第２端とを有しており、
カラーが、前記第１端に隣接して前記アタッチメントの周りに延在しており、
前記カラーは、更なる面取り部を有している
ことを特徴とする請求項２６または２７に記載の手持ち式機器。
【請求項２９】
前記更なる面取り部は、前記アタッチメントの前記第１端からの前記カラーの先端部にある
ことを特徴とする請求項２８に記載の手持ち式機器。
【請求項３０】
前記更なる面取り部は、前記カラーから、径方向外側に、且つ、前記アタッチメントの前記第２端に向かって、延在している
ことを特徴とする請求項２８または２９に記載の手持ち式機器。
【請求項３１】
前記本体部の前記面取り部と前記アタッチメントの前記更なる面取り部とは、前記アタッチメントが前記本体部に取り付けられる時、互いに係合する
ことを特徴とする請求項２８乃至３０のいずれかに記載の手持ち式機器。
【請求項３２】
第２突出部及び第２スロット
を更に備えたことを特徴とする請求項１乃至３１のいずれかに記載の手持ち式機器。
【請求項３３】
前記第２突出部及び前記第２スロットは、前記突出部及び前記スロットから径方向に離れている
ことを特徴とする請求項３２に記載の手持ち式機器。
【請求項３４】
前記第２突出部は、前記第２スロットと協働するようになっているが、前記スロットとは協働しないようになっている
ことを特徴とする請求項３２または３３に記載の手持ち式機器。
【請求項３５】
第３突出部、第４突出部、第３スロット、及び、第４スロットが更に設けられている
ことを特徴とする請求項３２乃至３４のいずれかに記載の手持ち式機器。
【請求項３６】
前記第４突出部は、前記第２スロットまたは前記第４スロットと協働するようになっているが、前記スロットまたは前記第３スロットとは協働しないようになっている
ことを特徴とする請求項３５に記載の手持ち式機器。
【請求項３７】
前記突出部、前記第２突出部、前記第３突出部及び前記第４突出部は、前記アタッチメントの周りに径方向に間隔を空けている
ことを特徴とする請求項３５または３６に記載の手持ち式機器。
【請求項３８】
前記スロット、前記第２スロット、前記第３スロット及び前記第４スロットは、前記本体部の周りに径方向に間隔を空けている
ことを特徴とする請求項３７に記載の手持ち式機器。
【請求項３９】
当該機器は、ヘアケア機器である
ことを特徴とする請求項１乃至３８のいずれかに記載の手持ち式機器。
【請求項４０】
当該ヘアケア機器は、ホットスタイリング機器である
ことを特徴とする請求項３９に記載の手持ち式機器。
【発明の詳細な説明】
【技術分野】
【０００１】
本発明は、手持ち式機器に関しており、特には、ホットスタイリング装置のようなヘアケア機器に関している。
【背景技術】
【０００２】
従来のホットスタイリング機器においては、空気が、ファン装置によって入口部に引き込まれ、出口部によってヘアに向かって指向される。しばしば、１つの機器に、様々なアタッチメントが設けられる。各アタッチメントは、異なる出口部を有しており、その結果、異なる機能を有している。例えば、ドライング（髪を乾燥する）、カーリング（髪を巻き毛にする）、ボリューマイジング（髪にボリューム感を与える）、等の機能である。所望されるスタイルに依存して、空気は、加熱されたり、加熱されなかったりする。アタッチメントは、ヘアが巻き付けられてスタイリングのために保持されるブリスル（ブラシ毛）を有し得る。
【発明の概要】
【発明が解決しようとする課題】
【０００３】
機器及びアタッチメントには、接続機構が設けられている。それは、アタッチメントが設けられていない状態で機器が作動されることを防ぐような、インターロック（連動装置）を有していてもよいし、有していなくてもよい。１つの問題は、必要な時には容易に取り外せる一方で、ヘアに張力が加わった時の機器とアタッチメントとの間の堅固な接続を提供することである。
【課題を解決するための手段】
【０００４】
従って、本発明は、本体部とアタッチメントとを備え、本体部がスロットとアクチュエータとを有するアタッチメント機構を有する、という手持ち式機器を提供する。
【０００５】
好適には、前記アタッチメントは、前記スロットと係合するように構成された突出部を有している。
【０００６】
好適な実施形態では、前記アクチュエータは、第１位置と第２位置とを有しており、前記アクチュエータは、前記突出部が前記スロットと係合する時に、前記第１位置から前記第２位置へと向かって移動される。
【０００７】
好適には、前記第１位置において、前記アクチュエータは、少なくとも部分的に前記スロットを塞ぐ。
【０００８】
好適な実施形態では、前記アクチュエータは、前記突出部が前記スロットと係合している時に前記突出部と相互作用する表面部を有している。
【０００９】
好適には、前記表面部は、前記第２位置において、または、前記第２位置の近傍において、前記スロットを少なくとも部分的に規定するようになっている。
【００１０】
好適な実施形態では、前記突出部が、前記スロット内の所定位置に来る時、前記アクチュエータは、前記第１位置に向かって戻る。
【００１１】
好適には、前記アクチュエータは、前記第１位置内へと付勢されている。
【００１２】
好適な実施形態では、前記アクチュエータは、前記本体部上に前記アタッチメントを保持している。
【００１３】
好適には、前記本体部は、長手方向軸に沿って延びており、前記スロットは、前記本体部の径方向にも軸方向にも延びている。
【００１４】
好適な実施形態では、前記突出部は、前記アクチュエータと係合するための第１面を有している。
【００１５】
好適には、前記第１面は、前記アクチュエータの前記表面部と係合する。
【００１６】
好適な実施形態では、前記本体部は、外面部と内面部とを有する壁部を有しており、前記スロットは、前記内面部に形成された閉鎖チャネルであり、当該閉鎖チャネルの端部に形成された凹部によって規定された閉鎖端を有している。
【００１７】
好適には、前記凹部は、前記スロットの壁によって規定されている。
【００１８】
好適な実施形態では、前記突出部は、前記スロットの前記壁部と係合するための第２面を有している。
【００１９】
好適には、前記第２面は、湾曲している。
【００２０】
好適な実施形態では、前記アクチュエータは、前記突出部が前記凹部と係合する時に前記突出部と相互作用する第２面を有している。
【００２１】
好適には、前記本体部は、第１端と第２端とを有しており、前記アタッチメント機構は、前記第２端に隣接している。
【００２２】
好適な実施形態では、前記本体部は、外面部と内面部とを有する壁部を有しており、前記第２端において、前記壁部は、前記内面部の周りに延在する面取り部を有している。
【００２３】
好適には、前記面取り部は、前記内面部から前記外面部に向かって延びている。前記面取り部は、前記壁部の前記内面部から前記第２端に向かって延びている。これにより、前記第２端において、または、前記第２端の近傍において、前記壁部は、前記本体部の長手方向軸Ｘ−Ｘに対して、角度付けられている。
【００２４】
好適な実施形態では、前記アタッチメントは、当該アタッチメントの周りに延在するカラーを有しており、前記突出部は、前記カラーから延びている。好適には、前記アタッチメントは、流体出口部とカラーとを有しており、流体出口部とカラーとの間にフランジ部が設けられていて、当該フランジ部は流体出口部及びカラーの両方から径方向外側に延在している。
【００２５】
好適には、前記アタッチメントは、第１端と第２端とを有しており、前記カラーは、前記第１端に隣接しており、前記カラーは、更なる面取り部を有している。好適には、前記更なる面取り部は、前記カラーと前記フランジ部との間に延在している。
【００２６】
好適な実施形態では、前記更なる面取り部は、前記アタッチメントの前記第１端からの前記カラーの先端部にある。
【００２７】
好適には、前記更なる面取り部は、前記カラーから、径方向外側に、且つ、前記アタッチメントの前記第２端に向かって、延在している。
【００２８】
好適な実施形態では、前記本体部の前記面取り部と前記アタッチメントの前記更なる面取り部とは、前記アタッチメントが前記本体部に取り付けられる時、互いに係合する。
【００２９】
本発明の別の特徴は、本体部とアタッチメントとを備えた手持ち式機器であって、前記本体部は、アタッチメント機構を有しており、前記本体部は、第１端と第２端とを有しており、前記アタッチメント機構は、前記第２端に隣接しており、前記本体部は、外面部と内面部とを有する壁部を有しており、前記第２端において、前記壁部は、前記内面部の周りに延在する面取り部を有していることを特徴とする手持ち式機器を提供する。
【００３０】
好適には、前記面取り部は、前記壁部の前記内面部から前記外面部に向かって延びている。
【００３１】
好適には、前記アタッチメントは、第１端と第２端とを有しており、カラーが、前記第１端に隣接して前記アタッチメントの周りに延在しており、前記カラーは、更なる面取り部を有している。好適には、前記アタッチメントの流体出口部と前記カラーとの間に、フランジ部が設けられる。好適には、前記更なる面取り部は、前記カラーと前記フランジ部との間に延在している。
【００３２】
好適な実施形態では、前記更なる面取り部は、前記アタッチメントの前記第１端からの前記カラーの先端部にある。
【００３３】
好適には、前記更なる面取り部は、前記カラーから、径方向外側に、且つ、前記アタッチメントの前記第２端に向かって、延在している。
【００３４】
好適な実施形態では、前記本体部の前記面取り部と前記アタッチメントの前記更なる面取り部とは、前記アタッチメントが前記本体部に取り付けられる時、互いに係合する。
【００３５】
好適には、当該機器は、前記アクチュエータに作用するユーザ操作ボタンを更に備える。
【００３６】
好適な実施形態では、前記ボタンの起動によって、前記アクチュエータが前記第１位置から前記第２位置に移動し、前記本体部からのアタッチメントの取り外しを容易にする。
【００３７】
好適には、当該機器は、第２突出部及び第２スロットを更に備える。
【００３８】
好適な実施形態では、前記第２突出部及び前記第２スロットは、前記突出部及び前記スロットから径方向に離れている。
【００３９】
好適には、前記第２突出部は、前記第２スロットと協働するようになっているが、前記スロットとは協働しないようになっている。
【００４０】
好適な実施形態では、第３突出部、第４突出部、第３スロット、及び、第４スロットが更に設けられている。
【００４１】
好適には、前記第４突出部は、前記第２スロットまたは前記第４スロットと協働するようになっているが、前記スロットまたは前記第３スロットとは協働しないようになっている。
【００４２】
好適な実施形態では、前記突出部、前記第２突出部、前記第３突出部及び前記第４突出部は、前記アタッチメントの周りに径方向に間隔を空けている。
【００４３】
好適には、前記スロット、前記第２スロット、前記第３スロット及び前記第４スロットは、前記本体部の周りに径方向に間隔を空けている。
【００４４】
好適には、４つの突出部と４つのスロットとがある。好適な実施形態では、４つの突出部と４つのスロットとは、それぞれ、アタッチメントのカラーと本体部のアタッチメントカラーとの周りに径方向に等しく間隔を空けている。好適には、１対の突出部と１対のスロットとが、別の対の突出部と別の対のスロットよりも、少なくとも１つの寸法において小さい。好適には、１対の突出部または１対のスロットが、直径方向に互いに反対方向に形成されている。好適な実施形態では、１対の突出部が、別の対の突出部よりも小さい距離だけ、カラーから径方向外側に延在しており、１対のスロットが、別の対のスロットよりも小さい距離だけ、本体部の壁部の内面部の径方向内方に延在している。
【００４５】
これは、より小さい方の対のスロット及び突出部が整列される２つの方向のみに、アタッチメントが本体部に対して位置決めされ得ることを意味する。
【００４６】
好適には、当該機器は、ヘアケア機器である。
【００４７】
好適な実施形態では、当該ヘアケア機器は、ホットスタイリング機器である。
【００４８】
本発明は、添付の図面を参照して、例示的に説明される。
【図面の簡単な説明】
【００４９】
【図１ａ】本発明によるアタッチメント機構の断面を示している。
【図１ｂ】本発明によるアタッチメント機構の断面を示している。
【００５０】
【図２】本発明によるアタッチメント機構のためのアクチュエータの側面図を示している。
【００５１】
【図３】本発明によるアタッチメント機構の側面図を示している
【００５２】
【図４ａ】アタッチメントの側面図を示している
【００５３】
【図４ｂ】図４ａのアタッチメントで用いられる突出部の拡大図を示している
【００５４】
【図５】本発明によるアタッチメント機構の別の断面を示している。
【００５５】
【図６ａ】スロット内の突出部の拡大図を示している。
【００５６】
【図６ｂ】スロットの拡大図を示している。
【００５７】
【図７】当該機器に取り付けられた時の、アタッチメントの側方図を通る断面を示している。
【００５８】
【図８】図７のアタッチメントの拡大図を示している。
【００５９】
【図９】本発明によるアタッチメント機構が利用され得る機器を示している。
【００６０】
【図１０】本発明による別のアタッチメント機構の断面を示している。
【００６１】
【図１１】図１０のアタッチメント機構と共に用いられ得る別の機器を示している。
【発明を実施するための形態】
【００６２】
図９は、アタッチメント２０と共に用いられる、ホットエアスタイリング装置１０の一例を示している。ユーザが様々なスタイルを生成することを可能にするべく、また、機器に複数の機能性を与えるべく、アタッチメント２０は取り外し可能であり、別のアタッチメントと交換され得る。また、アタッチメント２０は、非使用時においても、機器のより容易な保管を許容するべく、取り外され得る。ホットエアスタイリング装置１０は、ハンドルとして機能する外壁と、第１端２１０ａにおける流体入口部２３０と、を有する本体部２１０を備えている。流体は、当該本体部２１０を通流して、アタッチメント２０の内部から流体出口部２６へと流れる。ハンドルの流体入口部２３０において、配列状の開口２３２が、ハンドル２２０の周りにハンドル２０に沿って部分的に延在している。内部には（不図示であるが）、ファンとモータとを有するファン装置が設けられている。使用時において、モータがファンを駆動して、エアが、流体入口部２３０の開口２３２を通して、本体部２１０内に延在する流体流路に沿って、引き込まれる。流体は、選択的に、流体出口部２６においてホットエアスタイリング装置を出る前に、ヒータ（不図示）によって加熱される。当該機器１０は、電源ケーブルを介して電源に接続され得る、あるいは、本体部２１０内に電池を収容し得る。本実施形態では、流体出口部２６は、アタッチメント２０に沿って、且つ、アタッチメントの径方向周りに延在する複数のスロットを有している。本体部２１０は、ユーザインタフェース９０と、本体部２１０からアタッチメント２０を解放するためのボタン６０と、を有しており、ユーザインタフェース９０は、典型的には、オン・オフボタン、並びに、温度及び／または流量制御設定部を含む。本実施形態では、ユーザインタフェース９０及びボタン６０は、本体部２１０上で直径方向に互いに略反対側に位置している。
【００６３】
図１ａ乃至図５を参照して、手持ち式機器１０の一部が図示されている。機器１０は、壁部２２０を有する本体部２１０を備えている。本体部２１０は、ハンドルとしても機能する。本体部２１０は、アタッチメントカラー２３０を有し、アタッチメントカラー２３０は、アタッチメント機構の少なくとも一部、すなわち、アタッチメント２０に設けられた少なくとも１つの突出部３０と係合するためのアタッチメントカラー２３０内の少なくとも１つのスロット２３２、を含む。この実施形態では、４つのスロットと４つの突出部とが設けられている。アタッチメント２０は、流体出口部２６とカラー２２とを有しており、カラー２２から少なくとも１つの突出部３０が延在している。流体出口部２６とカラー２２との間に、フランジ部２３４が設けられており、フランジ部２３４は、流体出口部２６とカラー２２との両方から径方向外側へと延在している。アタッチメント２０は、径方向内面部２４ａと径方向外面部２４ｂとを有する壁部２４を有しており、少なくとも１つの突出部は、外面部２４ｂから径方向外側へと延在している。
【００６４】
アタッチメント２０を本体部２１０に固定するために、アタッチメント２０は、アタッチメントカラー２３０に提供され、少なくとも１つの突出部３０が少なくとも１つのスロット２３２に整列するまで回転される。
【００６５】
特に図６ａ及び図６ｂを参照して、スロット２３２の各々が、アタッチメントカラー２３０の端面２４２に開口２３６を有している。開口２３６は、都合の良いことに、端面２４２において要求されるよりも大径の円錐状であり、突出部がスロットに入ることを促している。スロット２３２は、アタッチメントカラー２３０の周りに連続的に湾曲しており、突出部３０がスロット２３２内に押される時、突出部３０はスロット２３２の方向に自動的に向けられる。スロット２３２は、本体部２１０の径方向周りに且つ軸方向に沿って延在している。
【００６６】
スロット２３２ａは、ユーザがアタッチメントの変更を希望するか保管目的での取り外しを希望するまで本体部２１０上にアタッチメント２０を保持するようになっているアクチュエータ５０を含んでいる。アクチュエータ５０は、スロット２３２ａ内に突出部３０を物理的に保持する第１部５２と、ユーザが相互作用する第２部５４と、を有している。本体部２１０は、長手方向軸Ｘ−Ｘを有しており、アクチュエータ５０は、当該軸Ｘ−Ｘに沿って延在している。アクチュエータ５０の第１部５２は、スロット２３２ａと係合して、当該スロット２３２ａに対して可動である。アクチュエータ５０の第１部５２は、突出部３０がスロット２３２ａから取り外されることを許容するべくユーザがアクチュエータ５０を動かすまで、突出部３０をスロット２３２ａ内に保持するように機能する。
【００６７】
本体部２１０は、アタッチメントカラー２３０内に延在する第１開口１１０と、壁部２２０に沿って延在する第２開口２１２と、を有している。第１開口１１０は、アクチュエータ５０の第１部５２を収容するためのものであり、第２開口２１２は、アクチュエータの第２部５４とバネ２１４とを収容するためのものである。バネ２１４は、アタッチメントカラー２３０からの第２部５４の先端５４ａとアタッチメントカラー２３０からの第２開口２１２の先端２１２ａとの間で延在している。保持ピン２１６が、アクチュエータ５０とバネ２１４の各端が載置されている第２開口２１２との上に設けられている（図３ではバネは不図示である）。バネ２１４は、アクチュエータ５０をアタッチメントカラー２３２に向けて付勢している。
【００６８】
アクチュエータ５０の第２部５４は、本実施形態では、長方形であって、脚部５６が設けられている。当該脚部５６は、第１開口２１２の２つの縁部に沿って設けられた棚部２１８と係合するようになっている。これは、アクチュエータ５０が第１開口２１２内を摺動する時、アクチュエータ５０に安定性を与える。前記付勢力は、ユーザがバネ２１４の力に対抗してアクチュエータ５０を摺動させることによって、克服される。
【００６９】
ユーザがアクチュエータ５０と相互作用するために、ボタン６０が設けられている。ボタン６０は、アクチュエータ５０の第２部５４内の凹部５８と係合する突出部６２を有している。本体部２１０は、アクチュエータ５０を収容するための第１開口２１２が設けられた壁部２２０を有している。本体部２１０は、また、壁部２２０の外周の周りに径方向に延在する外筒２２２を有している。当該外筒２２２は、ユーザが保持するためのものである。外筒２２２は、別の開口２２４を有している。当該開口２２４を通って、ボタン６０が延在しており、当該ボタン６０がユーザによって起動され得る。ボタン６０は、典型的には、アクチュエータ５０に接着されている。
【００７０】
特に図２を参照して、アクチュエータ５０がより詳細に説明される。前述のように、アクチュエータ５０の第２部５４は、全体的に長方形である。第１部５２は、複数の異なる領域を有する。第１部５２は、まず、第２部５４よりも断面が小さく、第１部５２がスロット２３２内で動く時、第１部５２はスロット２３２のサイズ、すなわち、スロット２３２に係合する突出部３０のサイズ、を決定する。第２に、第２部５４は、ボタン６０のためのプラットフォームを提供し、ユーザはより広い部分に関与できるので、より安定的である。
【００７１】
第１部５２は、当該第１部５２の長さに沿って延在する第１側部５２ａを有し、本体部２１０の長手方向軸Ｘ−Ｘと整列される。第１部５２は、第１領域１５０を有しており、当該第１領域１５０は、第２部５４から延在し、全体的に長方形で、第２部５４よりも狭い。
【００７２】
第２領域１５２は、第１領域１５０から延在しており、一側１５２ａを有している。当該一側１５２ａは、長手方向軸Ｘ−Ｘに対して角度付けられており、楔形状をもたらすように当該第２領域１５２において当該第１部５２を狭めている。一側１５２ａは、長手方向軸Ｘ−Ｘに対して８°と５９°との間の角度である。好適には、長手方向軸Ｘ−Ｘに対して２０°と５７°との間の角度である。更に好適には、長手方向軸Ｘ−Ｘに対して３０°と４０°との間の角度である。最も好適には、長手方向軸Ｘ−Ｘに対して３３．３°の角度である。
【００７３】
第３領域１５４は、第２領域１５２から延在しており、一側１５４ａを有している。当該一側１５４ａは、本体部２１０の長手方向軸Ｘ−Ｘに沿って延在している。第２部５４からの第１部５２の先端において、表面部１５６が設けられている。当該表面部１５６は、アクチュエータの端面であり、第１側部５２ａに対して角度付けられている。これは、特に図１ａ及び図１ｂを参照して説明される。
【００７４】
アクチュエータ５０は、当該アクチュエータ５０の厚さ方向についても、均一でない形状を有している。特に図３及び図５を参照すれば、アクチュエータ５０の第２部５４は、ボタン６０の突出部６２を収容するための凹部５８を除いて、均一な厚みｔ１を有している。しかし、第１部５２は、最初の部分においてすでに第２部５４とは厚さが異なり、表面部１５６に向かって更にｔ３まで厚くなっている。薄い中央部８０が、アタッチメントカラー２３０に設けられた第１開口１１０を通って移動する。中央部８０が薄いことにより、第１開口１１０は小さくてよく、アタッチメントカラー２３０の構造的一体性が損なわれない。２つの厚い部分は、ストッパ特徴部を提供し、アクチュエータ５０の不所望の移動を抑制する。アクチュエータ５０の第２部５４の端壁６４が、アクチュエータ５０の厚みの減少によって、アクチュエータ５０の第１部５２と第２部５４との間の接合部に形成されており、第２開口２１２内にアクチュエータ５０の第２部５４を保持している。アクチュエータ５０の第１部５２の表面部１５６に向かって、アクチュエータが厚くなって、部分６６となっている。本実施形態では、厚みの増大は、アクチュエータ５０の第１部５２の内面５２ａ上でなされている。これは、ユーザが、第１開口１１０の外側へとアクチュエータ５０の第１部５２を摺動させてしまうことを防ぐ。
【００７５】
アタッチメントカラー２３０の第１開口１１０は、ストッパ特徴部―端壁６４と局所的な肉厚部６６―と共に、アタッチメントカラー２３０、第２開口２１２及び外筒２２２によって形成されたハウジング内にアクチュエータを維持するガイドチャネルである。
【００７６】
図１ａは、本体部２１０に取り付けられたアタッチメント２０を図示している。図１ｂは、本体部２１０に取り付けられるか、取り外される（過程での）アタッチメント２０を図示している。バネ２１４の作用のため、アクチュエータは、図１ａに示すように、第１位置に付勢されている。この状態では、アクチュエータ５０の第２部５４の端壁６４が、アタッチメントカラー２３０に隣接しており、アクチュエータ５０の第１部５２がスロット２３２ａを塞いでいる。
【００７７】
アクチュエータ５０の表面部１５６は、本体部２１０の長手方向軸Ｘ−Ｘに対して角度付けられており、スロット２３２ａの湾曲具合に倣っている。従って、突出部３０がスロット２３２ａ内に押し入れられる時、アクチュエータ５０は、第２位置に向かって、本体部２１０の長手方向軸Ｘ−Ｘに沿って押し入れられる。これにより、スロット２３２ａが開放し、突出部３０がスロット２３２ａに入ることが可能となる。突出部３０がアクチュエータ５０の表面部１５６を通過すると、アクチュエータ５０は第１位置に向かって戻る。
【００７８】
各スロット２３２、２３２ａは、壁部２２０の内面部２２０ａ内の閉鎖チャネルであり、アタッチメントカラー２３０の内部に位置している。（図６ａ及び図６ｂに示すように）スロット２３２ａは、突出部３０を受容するための開口２３６を有しており、アタッチメントカラー２３０の外周に沿って部分的に周方向に湾曲して、チャネルの端部２３８に至っている。チャネルの端部２３８は、突出部３０を受容するようになっている凹部２４０を提供する。凹部２４０は、スロット２３２ａの壁部１３０によって規定されている。
【００７９】
第１位置では、アクチュエータ５０の第２領域１５２と角度のある一側１５２ａとが突出部３０を端部２３８に向けて凹部２４０へと押すことにより、アクチュエータ５０が、突出部３０がスロット２３２ａから取り外されることを防ぐ。
【００８０】
アタッチメント２０を取り外すためには、ユーザが、ボタン６０をアタッチメントカラー２３０から摺動させる。これにより、アクチュエータ５０は、バネ２１４の付勢力に対抗して、第２開口２１２内で移動して、アクチュエータ５０の第１部５２がスロット２３２ａに対して移動して、スロット２３２ａはもはやアクチュエータ５０によって塞がれなくなり、突出部３０はスロット開口２３６に向けてスロット２３２ａに沿って移動可能となる。
【００８１】
突出部３０は、スロット２３２ａに提供される時にアクチュエータ５０に作用する第１面３２を有している。突出部３０は、凹部２４０に適合するような形状ないしサイズを有する第２湾曲面３４を有している。本実施形態では、突出部３０は、涙滴の形状を有している。アタッチメント２０は、本体部２１０に取り付けられた時に本体部２１０の長手方向軸Ｘ−Ｘに平行な長手方向軸Ｙ−Ｙを有している。突出部３０の第１面３２は、アタッチメント２０の長手方向軸Ｙ−Ｙと平行である。
【００８２】
湾曲スロット２３２、２３２ａを有することは、伝統的なバヨネット結合よりも有利である。バヨネット結合は、互いに対して角度付けられた２つの部分を有していて、ユーザが、取り付けのために、第１軸に沿って押し付けた後で第２軸回りに捻る。これは、結果的に、取り付けを維持する結合部内の経路長さと方向変化とに依存する、相対的に大型のアタッチメント機構となってしまう。対照的に、アクチュエータと関連する本発明の湾曲スロットは、突出部３０の第１面３２が長手方向軸Ｘ−Ｘに対して角度付けられたアクチュエータ５０の一側１５２ａを迂回するまでだけ、ユーザが第１軸に沿って押すことを可能にする。この時点の後は、バネ２１４の付勢作用により、アクチュエータ５０の第１部５２がスロット開口２３６に向かって移動し、突出部３０がスロット２３２ａ内に形成された凹部２４０内へと押し込まれる。これにより、ユーザは、アタッチメント２０を本体部２１０に対して相対的に短い量だけ押し込むだけでよく、それによってアクチュエータ５０は動作を完了する。バネ２１４の動作によって、アクチュエータ５０の第１部５２が、突出部３０を凹部２４０に向けて押し込む。
【００８３】
また、湾曲スロットとアクチュエータとを設けることは、伝統的なバヨネット結合と比較して、相対的に短い経路長さを可能にする。これにより、アタッチメントカラー２３０は、顕著に小型化され得る。おそらく、２倍乃至３倍程度、短くされ得る。
【００８４】
角度付けられた一側１５２ａを有するアクチュエータ５０を利用することにより、本体部２１０上でのアタッチメント２０の安定性がアシストされる。アクチュエータ５０及び特に一側１５２ａは、スロット２３２ａの端部の凹部２４０内へと突出部３０を押し入れるが、突出部３０、スロット２３２ａ及びアクチュエータ５０のサイズのあらゆる相違が考慮される。なぜなら、アクチュエータ５０の第１部５２は、これらの相異に起因するスロット２３２ａに対する僅かに異なる位置においても、作用できるからである。
【００８５】
アタッチメントの安定性を改良できる他の特徴が、特に図４ｂ、図７及び図８参照して説明される。アタッチメント２０及び本体部２１０のアタッチメントカラー２３０は、それぞれ係合面１２０ａ、１２０ｂを有する、アタッチメント２０の係合面１２０ａは、アタッチメントの長手方向軸Ｙ−Ｙに対して角度付けられている。アタッチメントカラー２３０の係合面１２０ｂは、機器の長手方向軸Ｘ−Ｘに対して角度付けられている。係合面１２０ａ、１２０ｂの両方が、それぞれ、アタッチメント２０またはアタッチメントカラー２３０の径方向周りに延在する面取り部２６、２２２として形成されている。本実施形態では、係合面１２０ａ、１２ｂは、それぞれアタッチメントないし機器の長手方向軸Ｙ−Ｙ、Ｘ−Ｘに対して同じ大きさで方向が逆の傾斜角を有している。これは必須要件ではないが、当該角度は逆向きで、互いに符号する必要がある。但し、当該角度が正確に同じ大きさである必要はない。当該角度は、１５°と７５°との間であり得る。好適には、３０°と５０°との間であり得る。より好適には、約４０°であり得る。アタッチメント２０が本体部２１０に提供される時、突出部３０は、まず、スロット２３２、２３２ａと整列される。突出部３０は、押されることでアクチュエータ５０の第１部５２の第３領域１５４を通過すると、アクチュエータ５０の第１部５２の第２領域１５２によって、チャネルの端部２３８に形成された凹部２４０に向かって自動的に押される。
【００８６】
本体部２１０は、第１端２１０ａと、第２端２１０ｂと、を有しており、アタッチメントカラー２３０は、アタッチメント機構の少なくとも一部を収容しており、第２端２１０ｂに隣接している。本体部は、外面部２２０ｂと内面部２２０ａとを有する壁部２２０を有しており、第２端２１０ｂにおいて、壁部２２０は、内面部２２０ａの周りに延在する面取り部２２２を有している。面取り部２２２は、内面部２２０ａから外面部２２０ｂに向かって、且つ、第２端２１０ｂに向かって、延在している。
【００８７】
アタッチメント２０は、本体部２１０に取り付けられる第１端２０ａと、本体部２１０から遠位の第２端２０ｂと、を有している。第１端２０ａにおいて、カラー２２が、アタッチメント２０の周りに延在している。突出部３０は、カラー２２から延在しており、アタッチメントの壁部２４の外面部２４ｂから径方向外側へと延在している。カラー２２と流体出口部２６との間に、フランジ部２３４が設けられている。フランジ部２３４は、アタッチメント２０の外面部２４ｂから径方向外側へと延在している。カラー２２は、更なる面取り部２６を含んでおり、当該更なる面取り部２６は、フランジ部２３４とカラー２２との間に延在している。当該更なる面取り部２６は、カラー２２から、径方向外側へと、アタッチメント２０の第２端２０ｂに向かって、延在している。これにより、当該更なる面取り部２６は、係合面１２０ａ、１２０ｂをもたらすべく、面取り部２２２と傾斜方向が反対向きになっている。従って、アタッチメント２０が本体部２１０に取り付けられる時、本体部２１０の面取り部２２２とアタッチメント２０の更なる面取り部２６が互いに係合する。
【００８８】
アタッチメント２０の本体部２１０に対するこの更なる自動的な捻りが生じる時、アタッチメント２０及びアタッチメントカラー２３０の係合面１２０ａ、１２０ｂは、アタッチメント２０及びアタッチメントカラー２３０の径方向周りに係合して、アタッチメント２０を本体部２１０に更に固定する。係合面１２０ａ、１２０ｂと共に、突出部３０の様々な面３２、３２と係合する様々な表面部１５６、１５４ａ、１５２ａを有するアクチュエータを利用することによって、アタッチメント３０と本体部２１０との間の自己引き締め結合をもたらし、結合時のそれらの間の「がたつき」を低減する。これは、特に、使用中にヘアがアタッチメントの回りに巻き付くことが意図された実施形態にとって有用である。なぜなら、アタッチメント２０と本体部２１０との間に形成される結合部に、接線方向力が適用され得るからである。
【００８９】
これまでに説明された実施形態では、アタッチメント２０は本体部２１０に任意の方向で取り付けられ得る。幾つかの実施形態では、アタッチメントがより少ない方向を有することが望ましい。図１０及び図１１を参照すると、アタッチメント７０は、単一の流体出口部７２からの指向された流れを有する。より少ない方向を達成する１つの態様は、適合される対として、突出部１４０、１４２とスロット１４４、１４６を提供することである。
【００９０】
図１０を参照して、第１対の突出部１４０が、第２対の突出部１４２よりも遠くまで、カラー２２の径方向外側面２４ｂから延在している。これにより、第１対の突出部１４０は、第２対の突出部１４２よりも、大きく突出している。第１対のスロット１４４は、第２対のスロット１４６よりも、壁部２２０の内面２２０ａの径方向内側へと更に延在するチャネルによって形成されている。これにより、第１対のスロット１４４は、第２対のスロット１４５よりも、より大きい深さを有している。第２対の突出部１４２は、第１及び第２対のスロット１４４、１４６のいずれにも適合可能であるが、第１対の突出部１４０は、第１対のスロット１４４にしか適合しない。これにより、アタッチメント２０の本体部２１０に対する方向の数が、２に制限される。これにより、方向付けが、単一の流体出口部７２がボタン６０またはユーザインタフェース９０と整列される態様に制限され得る。これは、ユーザに、握り直すことなくボタン６０及びユーザインタフェース９０にアクセス可能であるように機器を保持できる快適な位置を提供する。
【００９１】
図１乃至図８に示されたアタッチメントでは、フランジ部２３４は、アタッチメント２０が本体部２１０に取り付けられた時に視認され得る、外部特徴部である。図９及び図１１では、フランジ部は、外壁の厚みの中に収容される内部特徴部である。両方の実施形態が、本発明の範囲内に入る。
【００９２】
本発明は、ホットスタイリング装置に関して詳細に説明されたが、流体を引き込んで当該機器からの当該流体の出力流を指向させる任意の機器に適用可能である。
【００９３】
当該機器は、ヒータと共に用いられ得るし、ヒータ無しでも用いられ得る。高速での流体出力流の作用は、乾燥作用である。
【００９４】
当該機器を通って流れる流体は、一般的には空気であるが、任意の単一の気体や気体の様々な組み合わせであり得るし、当該機器の性能や、当該機器が対象物（例えば、ヘア）上に有する衝撃や、当該ヘアのスタイリングを改善するための添加剤を含み得る。
【００９５】
本発明は、前述の詳細な説明に限定されない。修正が、当業者に明らかである。
【図１ａ】
2018033968.tif 000003
【図１ｂ】
2018033968.tif 000004
【図２】
2018033968.tif 000005
【図３】
2018033968.tif 000006
【図４ａ】
2018033968.tif 000007
【図４ｂ】
2018033968.tif 000008
【図５】
2018033968.tif 000009
【図６ａ】
2018033968.tif 000010
【図６ｂ】
2018033968.tif 000011
【図７】
2018033968.tif 000012
【図８】
2018033968.tif 000013
【図９】
2018033968.tif 000014
【図１０】
2018033968.tif 000015
【図１１】
2018033968.tif 000016